(57)【要約】【課題】中域及び低域での再生性能を向上でき、製造時においてフレームと音響発生部との接合が容易で、且つ堅固に接合できるスピーカーを提供する。【解決手段】スピーカーは、フレーム１１０のフランジ部１１１の外周面側にリング状の突起部１１５が形成され、突起部１１５の外周面にエッジ２１１の外周面側内面が結合される。よって、エッジ２１１を含む音響発生部２１０の径が長くなるため、中域及び低域での再生性能が向上する。【選択図】図１
2008236717.tif 000002
【特許請求の範囲】
【請求項１】
リング状のフランジ部、前記フランジ部の内周面側から前記フランジ部に直交する方向の一側に延長形成されたほぼコーン状の収容部、および前記フランジ部の外周面側から前記収容部と反対方向に突出形成されたリング状の突起部を有するフレームと、
前記突起部の外周面に外側端部側内面が結合されるリング状の曲面部と、前記曲面部の内側端部から延長形成された平面部とを有するエッジ、および前記平面部に外周面側が結合される振動板を含む音響発生部と、
前記収容部に結合され、磁気力を発生する磁気回路部と、
前記振動板に結合され、電源が印加されると、前記磁気回路部との作用によって振動して前記音響発生部を振動させるボイスコイルとを備えることを特徴とするスピーカー。
【請求項２】
前記突起部の外周面は、端部側に行く程前記フレームの中央部側に近くなる形態でテーパーされていることを特徴とする請求項１に記載のスピーカー。
【請求項３】
前記突起部の外周面は、前記フランジ部に対して垂直に形成され、
前記曲面部の外側端部側には、内側に突出された突出部が形成されていることを特徴とする請求項１に記載のスピーカー。
【請求項４】
前記曲面部の外側端面には、所定方向に延長された延長部が更に形成されていることを特徴とする請求項２または３に記載のスピーカー。
【請求項５】
前記フランジ部の外周面側には、固定部材が結合されていることを特徴とする請求項２または３に記載のスピーカー。
【請求項６】
前記曲面部の外側端面には、前記フランジ部と平行する延長部が前記フランジ部の外側方向に延長形成され、
前記延長部には、固定部材が結合されていることを特徴とする請求項２または３に記載のスピーカー。
【請求項７】
前記曲面部の外側端面には、凹部が延長形成され、
前記凹部には、固定部材が挿入結合されていることを特徴とする請求項２または３に記載のスピーカー。
【請求項８】
リング状を有し、一表面側の外周面に段面が形成されたフランジ部と、前記フランジ部の他表面から延長形成されるほぼコーン状の収容部を有するフレームと、
リング状を有し、前記フランジ部の段面に結合される結合部と、前記フランジ部の一表面と対応する前記結合部の一面において、前記フレームの内側に延長形成されたリング状の連結部と、当該連結部の内周面から延長形成されたリング状の曲面部と、前記曲面部の内周面から延長形成されたリング状の平面部を有するエッジ、および前記平面部に外周面側に結合される振動板を含む音響発生部と、
前記収容部に結合され、磁気力を発生する磁気回路部と、
前記振動板に結合され、電源が印加されると、前記磁気回路部との作用によって振動して前記音響発生部を振動させるボイスコイルとを備えることを特徴とするスピーカー。
【請求項９】
前記連結部には、所定方向に延長された延長部が更に形成されていることを特徴とする請求項８に記載のスピーカー。
【請求項１０】
前記連結部には、固定部材が結合されていることを特徴とする請求項８に記載のスピーカー。
【請求項１１】
前記連結部には、前記連結部を基準として前記結合部とほぼ対称に延長部が延長形成され、
前記固定部材には、前記延長部が結合される段面が形成されていることを特徴とする請求項１０に記載のスピーカー。
【請求項１２】
前記フランジ部の他表面側を向かう前記連結部の端部には、延長部が前記フランジ部の外側方向に延長形成され、
前記延長部と前記結合部と前記連結部に結合される固定部材が設けられ、
前記固定部材には、前記延長部と前記結合部と前記連結部とに対応する形状の段面が形成されていることを特徴とする請求項８に記載のスピーカー。
【請求項１３】
前記フランジ部の他表面側に向かう前記連結部の端部には、凹部が延長形成され、
前記凹部に挿入結合され、前記結合部と前記連結部に結合される固定部材が設けられ、
前記固定部材には、
前記凹部、前記結合部及び前記連結部に対応する形状の段面が形成されていることを特徴とする請求項８に記載のスピーカー。
【発明の詳細な説明】
【技術分野】
【０００１】
本発明は、スピーカーに関し、特に広い面積の音響発生部を有するスピーカーに関する。
【背景技術】
【０００２】
スピーカーは、電気信号を振動板の振動に変え、空気に疎密波を発生させて音波を輻射する音響機器である。
図１４（ａ）及び図１４（ｂ）は、従来のスピーカーの概略的な構成を示す図であり、これを説明する。
図１４（ａ）に示すように、上面が開放され、下面中央部に貫通孔１１ａが形成されたフレーム１１が備えられている。フレーム１１の上端部側には、水平フランジ１３と水平フランジ１３の外周面から上側に延長された垂直フランジ１５が形成され、水平フランジ１３には、音響発生部２１が結合される。
【０００３】
音響発生部２１は、リング状に形成され、外周面側下面が水平フランジ部１３に結合されたエッジ(edge)２２と、リング状に形成され、エッジ２２の内周面側下面に結合された振動板２３とを有する。そして、ボイスコイル３１に電源が供給されると、ボイスコイル３１とフレーム１１の下面の貫通孔１１ａ側に結合された磁気回路部(図示せず)間に発生する電磁気力によってボイスコイル３１が振動し、これにより音響発生部２１が振動しながら音響を再生する。
【０００４】
スピーカーから再生される音の再生帯域の中、中域及び低域での再生性能は、音響発生部２１の面積、即ち音響発生部２１の径によって決定される。
しかしながら、上記のような従来のスピーカーは、エッジ２２の外周面側が水平フランジ１３に結合されるので、水平フランジ１３に結合されたエッジ２２の部位に相当する分、音響発生部２１の径が短くなる。これにより音響発生部２１の面積が小さくなり、中域及び低域での再生性能が低下する不具合がある。
【０００５】
上記のような不具合を解消するため、特許文献１には、図１４（ｂ）に示すように、バスケット１０の上端部側の内面にサラウンドサスペンション１６のスカート１６ａの外周面側上面を結合した「コーン径を最大化するスピーカーサラウンド構造」が開示されている。
【特許文献１】韓国特許公開番号第２００３−６６８２２号
【発明の開示】
【発明が解決しようとする課題】
【０００６】
しかしながら、上記「コーン径を最大化するスピーカーサラウンド構造」は、バスケット１０の上端部側の内面に、上下に振動するサラウンドサスペンション１６のスカート１６ａの外周面側上面が接着されている。そのため、製造時において、バスケット１０とスカート１６ａの接着部位を相互圧着して接着するのが不便であるという短所がある。
また、上下に振動するサラウンドサスペンション１６の振動方向を考えると、サラウンドサスペンション１６が下側に振動する場合は、バスケット１０とスカート１６ａの接着部位に亀裂が生じ、サラウンドサスペンション１６が外れる恐れがある。
【０００７】
本発明は、上記のような従来技術の問題点を解決するために案出されたものであり、本発明の目的は、中域及び低域での再生性能を向上でき、製造時においてフレームと音響発生部との接合が容易で、且つ堅固に接合できるスピーカーを提供することにある。
【課題を解決するための手段】
【０００８】
上記目的を達成するための本発明に係るスピーカーは、リング状のフランジ部、当該フランジ部の内周面側から前記フランジ部に直交する方向の一側に延長形成されたほぼコーン状の収容部、および前記フランジ部の外周面側から前記収容部と反対方向に突出形成されたリング状の突起部を有するフレームと、前記突起部の外周面に外側端部側内面が結合されるリング状の曲面部と、前記曲面部の内側端部から延長形成された平面部とを有するエッジ、および前記平面部に外周面側が結合される振動板を含む音響発生部と、前記収容部に結合され、磁気力を発生する磁気回路部と、振動板に結合され、電源が印加されると、前記磁気回路部との作用によって振動して前記音響発生部を振動させるボイスコイルとを備える。
【０００９】
また、上記目的を達成するための本発明に係るスピーカーは、リング状を有し、一表面側の外周面に段面が形成されたフランジ部と、前記フランジ部の他表面から延長形成されるほぼコーン状の収容部を有するフレームと、リング状を有し、前記フランジ部の段面に結合される結合部と、前記フランジ部の一表面と対応される前記結合部の一面において、前記フレームの内側に延長形成されたリング状の連結部と、前記連結部の内周面から延長形成されたリング状の曲面部と、前記曲面部の内周面から延長形成されたリング状の平面部を有するエッジ、および前記平面部に外周面側に結合される振動板を含む音響発生部と、前記収容部に結合され、磁気力を発生する磁気回路部と、振動板に結合され、電源が印加されると、前記磁気回路部との作用によって振動して前記音響発生部を振動させるボイスコイルとを備える。
【発明の効果】
【００１０】
本発明に係るスピーカーは、フレームのフランジ部外周面側にリング状の突起部が形成され、突起部の外周面にエッジの外周面側内面が結合される。あるいは、フレームのフランジ部の外面に形成された段面にエッジの外側端部側内周面が結合される。
従って、上記水平フランジにエッジを結合させる従来技術のように音響発生部の径が短くなることがないので、中域及び低域での再生性能が向上される。
【００１１】
また、製造時において、突起部の外周面にエッジの外周面側内面を相互圧着して接着するのも容易である。
【発明を実施するための最良の形態】
【００１２】
以下、添付の図面を参照して、本発明の実施形態に係るスピーカーを詳しく説明する。
同一構造の同一要素に対しては、同一符号を用いる。
(第１実施形態)
図１は、本発明の第１実施形態に係るスピーカーの断面図であり、図２は、図１の「Ａ」部拡大図である。
【００１３】
図示のように、本発明の第１実施形態に係るスピーカーは、リング状のフランジ部１１１と、フランジ部１１１の内周面からフランジ部１１１に垂直な方向の一側まで延長形成された収容部１１３とを有している。この収容部１１３は、ほぼコーン状をなし、中央部側に貫通孔１１３ａが形成されている。
以下、フランジ部１１１に垂直な方向の一側及び垂直方向の一面を「下側及び下面」とし、フランジ部１１１に垂直な方向の他側及び垂直方向の他面を「上側及び上面」とする。また、他の構成要素に対する下側と上側及び下面と上面も、フランジ部１１１と対応するように命名する。
【００１４】
収容部１１３における貫通孔１１３ａ外側の下面には、リング状に形成されたプレート１２１が結合され、プレート１２１の下面にはマグネット１２３が結合され、マグネット１２３の下面にはヨーク１２５が結合されている。ヨーク１２５は、マグネット１２３の下面に結合された周縁部１２５ａと、当該周縁部１２５ａより内側の中央部から上側に突出形成され、マグネット１２３とプレート１２１を貫通する突出部１２５ｂとを有する。プレート１２１、マグネット１２３及びヨーク１２５が磁気力を発生する磁気回路部１２０をなす。
【００１５】
磁気回路部１２０の上側には、エッジ(edge)２１１と振動板２１５を有する音響発生部２１０が結合されている。
エッジ２１１は、リング状をなし、断面形状が上側に膨らんでいる弧状の曲面部２１２と、当該曲面部２１２の内側端部から延長形成された平面部２１３を有する。振動板２１５は、中央部に結合孔が形成されたコーン状に設けられ、外周面側が平面部２１３に結合されている。
【００１６】
そして、この振動板２１５に、ボビン１３１とコイル１３５を有するボイスコイル１３０が結合されている。ボビン１３１は、上部側の外周面が振動板２１５の結合孔の内周面に結合され、下部側は、ヨーク１２５の突出部１２５ｂとプレート１２１との間に位置している。コイル１３５は、ボビン１３１の下部側外周面に捲線されている。
よって、外部の電源からコイル１３５に電力が供給されると、コイル１３５と磁気回路部１２０との間に発生される電磁気力によって、ボイスコイル１３０が上下に振動して音響発生部２１０を振動させ、これにより音響が再生される。
【００１７】
音響発生部２１０の下側には、外周面側がフレーム１１０に結合され、内周面側がボビン１３１に結合されたリング状のダンパー１４０が設けられている。ダンパー１４０は、ボイスコイル１３０の上下振動時、ボイスコイル１３０が左右に流動するのを防止すると共に、音響発生部２１０が左右に流動するのを防止する。
そして、ボイスコイル１３０の上側には、ボイスコイル１３０の内部に異物が流入されるのを防止するキャップ１５０が結合され、フレーム１１０の外面一側には、端子板１６１が設けられている。端子板１６１には、コイル１３５と接続されたティンセルワイヤ１６５が設けられ、コイル１３５には、このティンセルワイヤ１６５を介して外部電源から電力が供給される。
【００１８】
スピーカーから再生される音の帯域中、中域及び低域での再生性能を向上させるためには、音響発生部２１０の面積が大きくなければならない。即ち、音響発生部２１０の径が長くなければならない。この点、本実施形態に係るスピーカーは、音響発生部２１０の径を長くできる構造を備えている。
詳しく説明すると、フランジ部１１１の外周面側の上面には、断面形状が台形のリング状の突起部１１５が上側に突出形成され、フレーム１１０の外側を向いた突起部１１５の外周面に、エッジ２１１の曲面部２１２の外側端部側内面が結合されている。
【００１９】
これによって、図１４（ａ）に示された従来のスピーカーに比べ、突起部１１５からフランジ部１１１の内周面までの長さ(Ｌ)(図２参照)程度、音響発生部２１０の径が長くなるので、中域及び低域での再生性能が向上する。
そして、製造時においても、フレーム１１０の外側において、エッジ２１１の曲面部２１２を突起部１１５側に押すと、曲面部２１２を突起部１１５に圧着して接着できるため便利である。また、音響発生部２１０が下側に振動すると、曲面部２１２が突起部１１５に更に堅固に密着するため、エッジ２１１が突起部１１５から外れる恐れがない。
【００２０】
この時、エッジ２１１の曲面部２１２が結合される突起部１１５の外周面は、端部である上側に行く程、フレーム１１０の中央部側に近くなる形態でテーパーされるように形成するのが望ましい。
(第２〜第８実施形態)
以下、下側と下面及び上側と上面に対する定義は、第１実施形態で説明するものと同一である。
【００２１】
図３〜図６は、本発明の第２〜第８実施形態に係るスピーカーのフレームと音響発生部の結合構造を示す図であり、これを説明する。
図３に示すように、本発明の第２実施形態に係るスピーカーは、エッジ２３１の曲面部２３２が結合されるフレーム３１０の突起部３１５の外周面は、フランジ部３１１に対して垂直に形成され、突起部３１５に結合される曲面部２３２の外側端部側には、内側に突出された突出部２３２aが形成されている。この突出部２３２aによりエッジ２３１とフレーム３１０の結合面積が広くなるので、結合力が向上する。
【００２２】
図４（ａ）及び図４（ｂ）にそれぞれ示すように、本発明の第３及び第４実施形態に係るスピーカーは、突起部１１５、３１５の外側にそれぞれ位置するエッジ２５１、２７１の曲面部２５２、２７２の外側端面には、所定方向（上方向）に延長部２５２ｂ、２７２ｂが延長形成されている。この延長部２５２ｂ、２７２ｂが製品に結合されることによって、スピーカーは製品に支持された状態で堅固に設けられる。また、延長部２５２ｂ、２７２ｂは、エッジ２５１、２７１を含む音響発生部の振動時、上記音響発生部が製品に当たらないように空間を確保する。
【００２３】
図５（ａ）及び図５（ｂ）にそれぞれ示すように、本発明の第５及び第６実施形態に係るスピーカーは、エッジ２１１、２３１が結合された突起部１１５、３１５の外側、すなわちフランジ部１１１、３１１の外周面側上面に、固定部材１９０がそれぞれ結合されている。
この固定部材１９０が製品に結合されることによって、スピーカーは製品に支持された状態で堅固に設けられる。また、固定部材１９０は、エッジ２１１、２３１を含む音響発生部の振動時、上記音響発生部が製品に当たらないように空間を確保する。
【００２４】
図６（ａ）に示すように、本発明の第７実施形態に係るスピーカーは、エッジ２８１の曲面部２８２の外側端部側にフランジ部３１１と平行する延長部２８２ｃがフランジ部３１１の外側方向に延長形成され、この延長部２８２ｃがフランジ部３１１に結合されている。そして、この延長部２８２ｃに固定部材１９０が結合されている。なお、これと同様の構成は、本発明の第１実施形態においても適用できる。
【００２５】
図６（ｂ）に示すように、本発明の第８実施形態に係るスピーカーは、エッジ２９１の曲面部２９２の外側端部側に溝状の凹部２９２ｄが延長形成され、凹部２９２ｄに固定部材１９０の下端部側が挿入結合されている。このような構成も、本発明の第１実施形態に適用できる。
(第９実施形態)
図７は、本発明の第９実施形態に係るスピーカーの断面図であり、図８は、図７の「Ｂ」部拡大図である。
【００２６】
図示のように、本発明の第９実施形態に係るスピーカーは、リング状のフランジ部４１１と、当該フランジ部４１１から延長形成されたほぼコーン状の収容部４１３とを有し、収容部４１３の中央部側に貫通孔４１３ａが形成されている。ここで、フランジ部４１１の一表面側外周面には段面４１１ａが形成され、収容部４１３はフランジ部４１１の他表面側から延長形成されている。
【００２７】
以下、フランジ部４１１の一表面が向く方向及び一表面を「上側及び上面」とし、他表面が向く方向及び他表面を「下側及び下面」とする。また、他の構成要素に対する下側と上側及び下面と上面も、フランジ部４１１と対応するように命名する。
貫通孔４１３ａの外側の収容部４１３の下面には、図７で示すように、フレート１２１、マグネット１２３及びヨーク１２５を有する磁気回路部１２０が結合されている。ヨーク１２５は、周縁部１２５ａと突出部１２５ｂを有する。
【００２８】
磁気回路部１２０の上側には、エッジ５１１と振動板５１８を有する音響発生部５１０が設けられている。
エッジ５１１は、リング状をなし、内周面がフレーム４１０の段面４１１ａに結合される結合部５１２、当該結合部５１２の上面からフレーム４１０の内側に延長形成されてリング状をなす連結部５１３、連結部５１３の内周面から延長形成されてリング状をなし、断面形状が下側に膨らんでいる弧状である曲面部５１４、曲面部５１４の内周面から延長形成され、リング状をなす平面部５１５を有する。
【００２９】
そして、振動板５１８はコーン状をなし、中央部側に結合孔が形成され、外周面側が平面部５１５に結合されている。振動板５１８の結合孔の内周面には、第１実施の形態で説明したボイスコイル１３０が結合されている。
エッジ５１１の曲面部５１４は、音響発生部５１０が振動する時、伸縮されながら音響発生部５１０の振動を許容する。
【００３０】
本発明の第９実施形態に係るスピーカーは、フランジ部４１１の外周面に形成された段面４１１ａにエッジ５１１の結合部５１２内周面が結合されている。それによって、図１４（ａ）に示された従来のスピーカーに比べ、フレーム１１のフランジ部１３の長さ程度、音響発生部５１０の径が長くなるので、中域及び低域での再生性能が向上する。
そして、製造時においても、エッジ５１１の結合部５１２をフランジ部４１１の段面４１１aに接着した後、結合部５１２をフランジ部４１１側に押すと、エッジ５１１をフレーム４１０に圧着して接着できるため便利である。また、音響発生部５１０が下側に振動すると、結合部５１２がフランジ部４１１に更に堅固に密着するので、エッジ５１１がフレーム４１０から外れる恐れがない。
【００３１】
(第１０〜第１４実施形態)
以下、下側と下面及び上側と上面に対する定義は、第９実施形態で説明したものと同様である。
図９〜図１３は、本発明の第１０〜第１４実施形態に係るスピーカーのフレームと音響発生部の結合構造を示す図であり、これを説明する。
【００３２】
図９に示すように、本発明の第１０実施形態に係るスピーカーは、エッジ６１１の連結部６１３の上面に上側所定方向に固定部６１３ａが延長形成されている。固定部６１３ａが製品に固定されることによって、スピーカーは製品に支持された状態で堅固に設けられる。また、固定部６１３ａは、エッジ６１１を含む音響発生部の振動時、上記音響発生部が製品に当たらないように空間を確保する。
【００３３】
図１０に示すように、本発明の第１１実施形態に係るスピーカーは、エッジ５１１の連結部５１３の上面に固定部材４８１が結合されている。固定部材４８１が製品に固定されることによって、スピーカーは製品に支持された状態で堅固に設けられる。また、固定部材４８１は、エッジ５１１を含む音響発生部の振動時、上記音響発生部が製品に当たらないように空間を確保する。
【００３４】
図１１に示すように、本発明の第１２実施形態に係るスピーカーは、エッジ６３１の連結部６３３の上面に連結部６３３を基準に結合部６３２とほぼ対称をなす延長部６３３ｂが突出形成され、固定部材４８３の下端部側の外面には、延長部６３３ｂが結合される段面４８３ａが形成されている。
図１２に示すように、本発明の第１３実施形態に係るスピーカーは、エッジ６５１の結合部６５２の下端部に、フランジ部７１１に結合される延長部６５２ａがフランジ部７１１の外側方向に延長形成されている。
【００３５】
そして、固定部材４８５の下端部側内面には、延長部６５２ａと結合部６５２と連結部６５３とに対応する段面４８５ａが形成され、固定部材４８５の段面４８５ａが延長部６５２ａと結合部６５２と連結部６５３に結合されている。
図１３に示すように、本発明の第１４実施形態に係るスピーカーは、エッジ６７１の結合部６７２の下端部に凹部６７２ｂが延長形成されている。
【００３６】
そして、固定部材４８５の下端部側内面には、凹部６７２ｂと結合部６７２と連結部６７３とに対応する段面４８５ａが形成され、固定部材４８５の段面４８５ａが凹部６７２ｂに挿入結合されると共に、結合部６７２と連結部６７３に結合されている。
以上では、本発明の一実施形態によって本発明を説明したが、本発明の属する技術分野における通常の知識を有する者が、本発明の技術的思想を逸脱しない範囲内で、変更及び変形したものも本発明に属することは当然である。
【図面の簡単な説明】
【００３７】
【図１】第１実施形態に係るスピーカーの断面図である。
【図２】図１の「Ａ」部拡大図である。
【図３】第２実施形態に係るスピーカーのフレームと音響発生部の結合構造を示す図である。
【図４】第３，第４実施形態に係るスピーカーのフレームと音響発生部の結合構造を示す図である。
【図５】第５，第６実施形態に係るスピーカーのフレームと音響発生部の結合構造を示す図である。
【図６】第７，第８実施形態に係るスピーカーのフレームと音響発生部の結合構造を示す図である。
【図７】第９実施形態に係るスピーカーの断面図である。
【図８】図７の「Ｂ」部拡大図である。
【図９】第１０実施形態に係るスピーカーのフレームと音響発生部の結合構造を示す図である。
【図１０】第１１実施形態に係るスピーカーのフレームと音響発生部の結合構造を示す図である。
【図１１】第１２実施形態に係るスピーカーのフレームと音響発生部の結合構造を示す図である。
【図１２】第１３実施形態に係るスピーカーのフレームと音響発生部の結合構造を示す図である。
【図１３】第１４実施形態に係るスピーカーのフレームと音響発生部の結合構造を示す図である。
【図１４】従来のスピーカーの概略的な構成を示す図である。
【符号の説明】
【００３８】
１１０、４１０      フレーム
１１１、４１１      フランジ部
１１５、３１５      突起部
２１０、５１０      音響発生部
２１１、５１１      エッジ
２１２、５１４      曲面部
２１５、５１８      振動板
１３０              ボイスコイル
１４０              ダンパー
１９０、４８１      固定部材
２５２ｂ、２７２ｂ  延長部
【図１】
2008236717.tif 000003
【図２】
2008236717.tif 000004
【図３】
2008236717.tif 000005
【図４】
2008236717.tif 000006
【図５】
2008236717.tif 000007
【図６】
2008236717.tif 000008
【図７】
2008236717.tif 000009
【図８】
2008236717.tif 000010
【図９】
2008236717.tif 000011
【図１０】
2008236717.tif 000012
【図１１】
2008236717.tif 000013
【図１２】
2008236717.tif 000014
【図１３】
2008236717.tif 000015
【図１４】
2008236717.tif 000016